(57)【要約】【課題】洗濯水循環時の騒音を低減するドラム式洗濯機を提供すること。【解決手段】有底円筒状の回転ドラム２を回転自在に内包する水槽３と、回転ドラム２を回転駆動するモータ５と、水槽３の円筒壁４０内面部に設けた循環水路（Ａ）１３と、循環水路（Ａ）１３と連通し水槽３内の洗濯水をドラム開口部３５から吐出する吐出口１４を有する循環経路１９とを備え、循環水路（Ａ）１３は、回転ドラム２が回転すると、水槽３内の洗濯水が循環水路（Ａ）１３に沿って推進し、洗濯水を循環経路１９に送水する循環リブ２０を有し、循環リブ２０は、円筒壁４０内面部に回転ドラム２の回転中心と略同一方向に向けて設けた直線状リブ（Ａ）１２と、直線状リブ（Ａ）１２に連設し回転ドラム２の反回転方向に対して凹状となる円弧状リブ（Ａ）１１とを有することにより、洗浄性能、すすぎ性能を向上させ、洗濯水循環中の騒音を低減することができる。【選択図】図１
2014030466.tif 000002
【特許請求の範囲】
【請求項１】
ドラム開口部を形成した有底円筒状の回転ドラムと、前記回転ドラムを回転自在に内包する水槽と、前記回転ドラムを回転駆動するモータと、前記水槽の円筒壁内面部に設けた循環水路と、前記循環水路と連通し前記水槽内の洗濯水を前記ドラム開口部から吐出する吐出口を有する循環経路とを備え、前記循環水路は、前記回転ドラムが回転すると、前記水槽内の洗濯水が前記循環水路に沿って推進し、洗濯水を前記循環経路に送水する循環リブを有し、前記循環リブは、前記円筒壁内面部に前記回転ドラムの回転中心と略同一方向に向けて設けた直線状リブと、前記直線状リブに連設し前記回転ドラムの反回転方向に対して凹状となる円弧状リブとを有することを特徴とするドラム式洗濯機。
【請求項２】
前記循環リブは、前記円筒壁の一部を段違いに接続することにより生じる立て壁にて形成された請求項１に記載のドラム式洗濯機。
【請求項３】
前記循環水路は、前記循環リブに載置した屋根状リブを有する構成の請求項１または２に記載のドラム式洗濯機。
【請求項４】
前記循環経路は、前記循環水路から前記ドラム開口部に向けて湾曲した略Ｕ字状の湾曲部を有し、前記湾曲部の先端に前記吐出口を設けた請求項１〜３のいずれか１項に記載のドラム式洗濯機。
【発明の詳細な説明】
【技術分野】
【０００１】
本発明は、水槽内に回転自在に内包した回転ドラム内で、洗濯物を洗い、すすぎ、脱水するドラム式洗濯機に関するものである。
【背景技術】
【０００２】
従来、この種のドラム式洗濯機では、回転ドラム内の衣類に効率的に洗濯水を浸透させるために、循環経路を備え、回転ドラムを駆動することで洗濯水を回転ドラム前面の吐出口より洗濯物に噴射する構成が提案されてきた（例えば、特許文献１参照）。
【０００３】
図６は、特許文献１に記載された従来のドラム式洗濯機の縦断面図を示すものである。
【０００４】
図６において、筐体５１内には、衣類出入用の第１開口部５３ａを持った外槽５６が、サスペンション構造（図示せず）によって背面側に向かって下向きに傾斜した状態で支持されており、外槽５６には、第１開口部と同一部分に開口する第２開口部６５ａと、水平方向または水平方向から傾斜した回転軸をもった回転ドラム５４が回転自在に内包されている。また、回転ドラム５４は、外槽５６外底部に設けられた駆動モータ５７によって回転駆動される。また、外槽５６内に給水する給水手段５９を有している。
【０００５】
そして、外槽５６には、回転ドラム５４の回転に伴って外槽５６内を回転する洗濯水が入り込む取水口６０と、取水口６０と一端が連通する第１の循環水路６２，第２の循環水路６６、第３の循環水路６７、第４の循環水路６８と、循環水路の他端と連通し回転ドラム内に洗濯水を吐出する吐出口７２が設けられている。
【０００６】
また、外槽５６の底部には洗濯水を加熱する温水ヒータ５０が設けられ、筐体５１上部前面側には、駆動モータ５７、給水手段５９、温水ヒータ５０等を制御して、洗い、すすぎ、脱水等の各行程を逐次制御する制御手段５５が設けられている。
【０００７】
以上の構成にて、すすぎ行程時、駆動モータ５７により洗濯物が回転ドラム５４の内周面に遠心力で張りつく程度の回転速度（例えば８０ｒ／ｍ）で回転し、この回転により、洗濯水は回転ドラム５４の外底部に設けたリブ（図示せず）のポンプ羽根の働きによりかき回され、取水口６０に取り込まれ、第１〜第４の循環水路６２，６６，６７，６８を通り、吐出口７２より回転ドラム５４内に勢い良く吐出される。そして、この吐出水は、回転ドラム５４の回転ごとに洗濯物にふりそそがれ、遠心力による洗濯水が洗濯物内を透過することにより、洗剤が除去されるいわゆるシャワーすすぎを行なう。
【先行技術文献】
【特許文献】
【０００８】
【特許文献１】特開２００７−１０５２１２号公報
【発明の概要】
【発明が解決しようとする課題】
【０００９】
しかしながら、前記従来の構成では、構造が複雑となり、構成費が高価なものになってしまうとともに、循環経路が外槽底部から側面部と直角に変化するために、水の乱流による騒音が大きいという課題があった。
【００１０】
本発明は、前記従来の課題を解決するもので、簡単な構成で、循環経路の変化を緩やかにして、水の乱流を抑えて洗濯水を回転ドラム内に吐出することにより、洗濯水循環中の
騒音を低減するドラム式洗濯機を提供することを目的としている。
【課題を解決するための手段】
【００１１】
前記従来の課題を解決するために、本発明のドラム式洗濯機は、ドラム開口部を形成した有底円筒状の回転ドラムと、前記回転ドラムを回転自在に内包する水槽と、前記回転ドラムを回転駆動するモータと、前記水槽の円筒壁内面部に設けた循環水路と、前記循環水路と連通し前記水槽内の洗濯水を前記ドラム開口部から吐出する吐出口を有する循環経路とを備え、前記循環水路は、前記回転ドラムが回転すると、前記水槽内の洗濯水が前記循環水路に沿って推進し、洗濯水を前記循環経路に送水する循環リブを有し、前記循環リブは、前記円筒壁内面部に前記回転ドラムの回転中心と略同一方向に向けて設けた直線状リブと、前記直線状リブに連設し前記回転ドラムの反回転方向に対して凹状となる円弧状リブとを有するものである。
【００１２】
これにより、循環経路を滑らかな水路として形成し、洗濯水を回転ドラム内に吐出することで、洗浄性能、すすぎ性能を向上するとともに、水の乱流を抑え、洗濯水循環時の騒音の低減を実現するものである。
【発明の効果】
【００１３】
本発明のドラム式洗濯機は、簡単な構成で、洗浄性能、すすぎ性能を向上させ、洗濯水循環中の騒音を低減することができる。
【図面の簡単な説明】
【００１４】
【図１】本発明の実施の形態１におけるドラム式洗濯機の縦断面図
【図２】（ａ）同ドラム式洗濯機の水槽の斜視図、（ｂ）同ドラム式洗濯機の水槽の上面図
【図３】（ａ）本発明の実施の形態２におけるドラム式洗濯機の水槽の斜視図、（ｂ）同ドラム式洗濯機の水槽の正面図
【図４】本発明の実施の形態３におけるドラム式洗濯機の水槽の斜視図
【図５】本発明の実施の形態４におけるドラム式洗濯機の水槽の斜視図
【図６】従来のドラム式洗濯機の縦断面図
【発明を実施するための形態】
【００１５】
第１の発明は、ドラム開口部を形成した有底円筒状の回転ドラムと、前記回転ドラムを回転自在に内包する水槽と、前記回転ドラムを回転駆動するモータと、前記水槽の円筒壁内面部に設けた循環水路と、前記循環水路と連通し前記水槽内の洗濯水を前記ドラム開口部から吐出する吐出口を有する循環経路とを備え、前記循環水路は、前記回転ドラムが回転すると、前記水槽内の洗濯水が前記循環水路に沿って推進し、洗濯水を前記循環経路に送水する循環リブを有し、前記循環リブは、前記円筒壁内面部に前記回転ドラムの回転中心と略同一方向に向けて設けた直線状リブと、前記直線状リブに連設し前記回転ドラムの反回転方向に対して凹状となる円弧状リブとを有することにより、循環経路を滑らかな水路として形成し、洗濯水を回転ドラム内に吐出することで、洗浄性能、すすぎ性能を向上させ、洗濯水循環中の騒音を低減することができる。
【００１６】
第２の発明は、特に、第１の発明の循環リブは、前記円筒壁の一部を段違いに接続することにより生じる立て壁にて形成されたことにより、循環経路を滑らかな水路として形成し、洗濯水を回転ドラム内に吐出することで、洗浄性能、すすぎ性能を向上させ、洗濯水循環中の騒音を低減することができる。
【００１７】
第３の発明は、特に、第１または第２の発明の循環水路は、前記循環リブに載置した屋根状リブを有することにより、水槽内の洗濯水を効率よくドラム開口部へ送水し、洗浄性
能、すすぎ性能を向上させ、洗濯水循環中の騒音を低減することができる。
【００１８】
第４の発明は、特に第１〜３のいずれか１つの発明の循環経路は、前記循環水路から前記ドラム開口部に向けて湾曲した略Ｕ字状の湾曲部を有し、前記湾曲部の先端に前記吐出口を設けたことにより、回転ドラム内へ適確に循環水を吐出するとともに、水の乱流を抑えて騒音を低減することができる。
【００１９】
以下、本発明の実施の形態について、図面を参照しながら説明する。なお、従来例と同じ構成のものは同一符号を付して説明を省略する。また、この実施の形態によって本発明が限定されるものではない。
【００２０】
（実施の形態１）
図１は、本発明の第１の実施の形態におけるドラム式洗濯機の縦断面図である。
【００２１】
図１において、筐体１の内部には、洗濯物を投入する回転ドラム２を回転自在に内包した水槽３が、バネなどの弾性支持機構４により揺動自在に支持されている。
【００２２】
水槽３の回転中心に回転軸（回転中心軸）７が設けられ、この回転軸７に、水槽３の背面側近傍に設けられたモータ５が、従動プーリ８、ベルト１０、モータプーリ９を介して連結され、モータ５により回転ドラム２が回転駆動される。
【００２３】
また、回転ドラム２は、水槽３と共に、開口する正面側から底部となる背面側に向けて回転軸方向が水平または水平方向から下向き傾斜となるように配設されている。
【００２４】
筐体１内部の前面下部には、洗い、すすぎ、脱水、乾燥などの一連の工程を制御し、モータ５などの負荷手段を駆動する制御手段６が設けられている。
【００２５】
また、水槽３の前面側には、回転ドラム２前部のドラム開口部３５に向かって、先端に吐出口１４を設けた略Ｕ字状の湾曲部３６を有する循環経路１９が形成されている。これにより、洗濯水が、回転ドラム２の回転駆動により循環経路１９の湾曲部３６を経由して、吐出口１４からドラム開口部３５に対して上方より吐出されるようになっている。洗濯水の吐出構成については、図２で後述する。
【００２６】
図２（ａ）は、本発明の第１の実施の形態におけるドラム式洗濯機の水槽の斜視図、図２（ｂ）は、同水槽の上面図である。
【００２７】
水槽３の円筒壁４０内面部には、循環リブ２０が立設されており、循環リブ２０は、回転軸７と略同一方向の直線状リブ（Ａ）１２と、この直線状リブ（Ａ）１２と連設され回転ドラム２の図で示す反時計回りの回転方向ａに対して凹状となる円弧状リブ（Ａ）１１とで形成されている。すなわち、円弧状リブ（Ａ）１１は、回転ドラム２の反回転方向に対して凹状となる。
【００２８】
この構成により、水槽３内に洗濯水を溜めた状態の洗い、もしくはすすぎ工程時に、回転ドラム２をモータ５によって、回転方向ａに回転駆動することで、水槽３内の洗濯水が水流ｂのように、回転方向ａに推進される。
【００２９】
そして、その水流ｂは、円弧状リブ（Ａ）１１と直線状リブ（Ａ）１２とで成る循環リブ２０によって形成された循環水路（Ａ）１３に沿って水流ｃの如く変化して、前面側へ推進される。前面側へ推進された洗濯水は、循環水路（Ａ）１３と連通する循環経路１９の湾曲部３６の先端にある吐出口１４から回転ドラム２内の洗濯物へ吐出される。
【００３０】
この時、洗濯水は、円弧状リブ（Ａ）１１と直線状リブ（Ａ）１２、および湾曲部３６により、水流が乱れることなく、スムーズに流れて吐出されるために、循環中の騒音が低減される。また、回転ドラム２内の洗濯物へ適確に吐出されるために、洗い工程では洗浄性能の向上、あるいはすすぎ工程ではすすぎの促進が図られる。
【００３１】
以上のように、本実施の形態１においては、水槽の円筒壁４０内面部に、回転軸方向と略同一方向の直線状リブ（Ａ）と、直線状リブ（Ａ）と連設し、回転ドラムの反回転方向に対して凹状となる円弧状リブ（Ａ）とで形成された循環リブを立設して循環水路（Ａ）を形成し、洗い、あるいはすすぎ工程において、回転方向に回転ドラムが回転して、洗濯水が、循環水路（Ａ）に沿って推進され、循環経路の吐出口から回転ドラム内に吐出される構成としたことにより、洗浄性能、すすぎ性能を向上させ、洗濯水循環中の騒音を低減することができる。
【００３２】
（実施の形態２）
図３（ａ）は、本発明の第２の実施の形態におけるドラム式洗濯機の水槽の斜視図、図３（ｂ）は、同水槽の正面図である。水槽以外の構成については、実施の形態１と同一であり、説明を省略する。
【００３３】
図３（ａ）、（ｂ）において、水槽３３の円筒壁４０の一部を段違いに接続している。このため、この段違いの接続部には立て壁が生じる。回転ドラム２の図で示す反時計回りの回転方向ａに対して対抗する立て壁（Ａ）３１を設けた段部（Ａ）２１が形成されており、立て壁（Ａ）３１は、回転軸７と略同一方向の直線状立て壁（Ａ）１６と、この直線状立て壁（Ａ）１６と連設され回転ドラム２の回転方向ａに対して凹状となる円弧状立て壁（Ａ）１５とで形成されている。すなわち、円弧状立て壁（Ａ）１５は、回転ドラム２の反回転方向に対して凹状となる。
【００３４】
この構成により、水槽３内に洗濯水を溜めた状態の洗い、もしくはすすぎ工程時に、回転ドラム２をモータ５によって、回転方向ａに回転駆動することで、水槽３内の洗濯水も回転方向ａに推進され、その洗濯水の流れは、段部（Ａ）２１の、円弧状立て壁（Ａ）１５と直線状立て壁（Ａ）１６とで成る立て壁（Ａ）３１によって形成された循環水路（Ｂ）１７に沿って変化し、水槽３３の前面側へ推進される。
【００３５】
前面側へ推進された洗濯水は、循環水路（Ｂ）１７と連通する循環経路１９の湾曲部３６の先端にある吐出口１４から回転ドラム２内の洗濯物へ吐出される。
【００３６】
この時、洗濯水は、円弧状立て壁（Ａ）１５と直線状立て壁（Ａ）１６、および湾曲部３６により、水流が乱れることなく、スムーズに流れて吐出されるために、循環中の騒音が低減される。また、回転ドラム２内の洗濯物へ適確に吐出されるために、洗い工程では洗浄性能の向上、あるいはすすぎ工程ではすすぎの促進が図られる。
【００３７】
以上のように、本実施の形態２においては、循環水路（Ｂ）は、回転ドラムの反回転方向に対抗し回転軸方向と略同一方向の直線状立て壁（Ａ）と、直線状立て壁（Ａ）と連設し、回転方向に対して凹状となる円弧状立て壁（Ａ）とで形成された立て壁（Ａ）にて形成する構成とし、すなわち、循環リブを、円筒壁４０の一部を段違いに接続することにより生じる立て壁にて形成したことにより、洗浄性能、すすぎ性能を向上させ、洗濯水循環中の騒音を低減することができる。
【００３８】
（実施の形態３）
図４は、本発明の第３の実施の形態におけるドラム式洗濯機の水槽の斜視図である。水
槽以外の構成については、実施の形態１と同一であり、説明を省略する。
【００３９】
図４は、実施の形態１における循環リブに、屋根状リブを載置した形状を構成している。以下。詳細に説明する。
【００４０】
水槽４３の円筒壁４０内面部には、循環リブと屋根状リブによってＬ字状に形成されたＬ字状循環リブ１８が立設されており、Ｌ字状循環リブ１８は、回転軸７と略同一方向の直線状リブ（Ｂ）２３と、この直線状リブ（Ｂ）２３と連設され回転ドラム２の図で示す反時計回りの回転方向ａに対して凹状となる円弧状リブ（Ｂ）２４と、直線状リブ（Ｂ）２３と円弧状リブ（Ｂ）２４に載設し、回転方向ａに対して受け口となる屋根状リブ２５とで構成されている。すなわち円弧状リブ（Ｂ）２４は、回転ドラム２の反回転方向に対して凹状となる。
【００４１】
この構成により、水槽４３内に洗濯水を溜めた状態の洗い、もしくはすすぎ工程時に、回転ドラム２をモータ５によって、回転方向ａに回転駆動することで、水槽４３内の洗濯水も回転方向ａに推進され、その洗濯水の流れは、直線状リブ（Ｂ）２３、円弧状リブ（Ｂ）２４、屋根状リブ２５とで形成された循環水路（Ｃ）２２に沿って変化し、水槽４３の前面側へ推進される。
【００４２】
前面側へ推進された洗濯水は、循環水路（Ｃ）２２と連通する循環経路１９の湾曲部３６の先端にある吐出口１４から回転ドラム２内の洗濯物へ吐出される。
【００４３】
この時、洗濯水は、円弧状リブ（Ｂ）２４と直線状リブ（Ｂ）２３、屋根状リブ２５、および湾曲部３６により、水流が乱れることなく、スムーズに流れて吐出されるために、循環中の騒音が低減される。また、回転ドラム２内の洗濯物へ適確に吐出されるために、洗い工程では洗浄性能の向上、あるいはすすぎ工程ではすすぎの促進が図られる。
【００４４】
以上のように、本実施の形態３においては、循環水路（Ｃ）は、回転軸方向と略同一方向の直線状リブ（Ｂ）と、直線状リブ（Ｂ）と連設し、回転ドラムの反回転方向に対して凹状となる円弧状リブ（Ｂ）と、直線状リブ（Ｂ）と円弧状リブ（Ｂ）に載設し、回転方向に対して受け口となる屋根状リブとで形成されたＬ字状循環リブを立設して形成する構成としたことにより、洗浄性能、すすぎ性能を向上させ、洗濯水循環中の騒音を低減することができる。
【００４５】
（実施の形態４）
図５は、本発明の第４の実施の形態におけるドラム式洗濯機の水槽の斜視図である。水槽以外の構成については、実施の形態１と同一であり、説明を省略する。
【００４６】
図５は、実施の形態２における循環リブに、屋根状リブを載置した形状を構成している。以下。詳細に説明する。
【００４７】
図５において、水槽５３の円筒壁４０には、回転ドラム２の図で示す反時計回りの回転方向ａに対して立て壁（Ｂ）３２を設けた段部（Ｂ）２６が形成されており、段部（Ｂ）２６は、回転軸７と略同一方向の直線状立て壁（Ｂ）２９と、この直線状立て壁（Ｂ）２９と連設され回転ドラム２の回転方向ａに対して凹状となる円弧状立て壁（Ｂ）３０、および、段部（Ｂ）２６の径小側内周壁に、回転方向ａに対して受け口となるよう延設した屋根状リブ（Ｂ）２７とで形成されている。すなわち、円弧状立て壁（Ｂ）３０は、回転ドラム２の反回転方向に対して凹状となる。
【００４８】
この構成により、水槽５３内に洗濯水を溜めた状態の洗い、もしくはすすぎ工程時に、
回転ドラム２をモータ５によって、回転方向ａに回転駆動することで、水槽５３内の洗濯水も回転方向ａに推進され、その洗濯水の流れは、段部（Ｂ）２６の直線状立て壁（Ｂ）２９、円弧状立て壁（Ｂ）３０、屋根状リブ（Ｂ）２７とで形成された循環水路（Ｄ）２８に沿って変化し、水槽５３の前面側へ推進される。
【００４９】
前面側へ推進された洗濯水は、循環水路（Ｄ）２８と連通する循環経路１９の湾曲部３６の先端にある吐出口１４から回転ドラム２内の洗濯物へ吐出される。
【００５０】
この時、洗濯水は、円弧状立て壁（Ｂ）３０と直線状立て壁（Ｂ）２９、屋根状リブ（Ｂ）２７、および湾曲部３６により、水流が乱れることなく、スムーズに流れて吐出されるために、循環中の騒音が低減される。また、回転ドラム２内の洗濯物へ適確に吐出されるために、洗い工程では洗浄性能の向上、あるいはすすぎ工程ではすすぎの促進が図られる。
【００５１】
以上のように、本実施の形態４においては、循環水路（Ｄ）は、回転ドラムの反回転方向に対抗し回転軸方向と略同一方向の直線状立て壁（Ｂ）と、直線状立て壁（Ｂ）と連設し、回転方向に対して凹状となる円弧状立て壁（Ｂ）とで立て壁（Ｂ）を形成し、立て壁（Ｂ）に回転方向に対して受け口となる屋根状リブ（Ｂ）を載設して形成する構成としたことにより、洗浄性能、すすぎ性能を向上させ、洗濯水循環中の騒音を低減することができる。
【産業上の利用可能性】
【００５２】
以上のように、本発明にかかるドラム式洗濯機は、簡単な構成で、洗浄性能、すすぎ性能を向上させ、洗濯水循環中の騒音を低減することが可能となるので、洗濯水循環機能を有する他の洗濯機の用途に適用できる。
【符号の説明】
【００５３】
１  筐体
２  回転ドラム
３  水槽
５  モータ
６  制御手段
７  回転軸
１１  円弧状リブ（Ａ）
１２  直線状リブ（Ａ）
１３  循環水路（Ａ）
１４  吐出口
１５  円弧状立て壁（Ａ）
１６  直線状立て壁（Ａ）
１７  循環水路（Ｂ）
１８  Ｌ字状循環リブ
１９  循環経路
２０  循環リブ
２３  直線状リブ（Ｂ）
２４  円弧状リブ（Ｂ）
２５  屋根状リブ
２７  屋根状リブ（Ｂ）
２８  循環水路（Ｄ）
２９  直線状立て壁（Ｂ）
３０  円弧状立て壁（Ｂ）
３１  立て壁（Ａ）
３２  立て壁（Ｂ）
３５  ドラム開口部
３６  湾曲部
４０  円筒壁
【図１】
2014030466.tif 000003
【図２】
2014030466.tif 000004
【図３】
2014030466.tif 000005
【図４】
2014030466.tif 000006
【図５】
2014030466.tif 000007
【図６】
2014030466.tif 000008